【事件の表示】
　特許第２９６５５０５号「義歯セット」の請求項１ないし２５に係る特許に対する特許異議の申立てについて、次のとおり決定する。
【結　論】
　訂正を認める。
　特許第２９６５５０５号の請求項１ないし２１に係る特許を維持する。
【理　由】
１．手続きの経緯　
　本件特許第２９６５５０５号に係る発明は、平成８年３月８日（パリ条約による優先権主張１９９５年３月１０日、ドイツ国）に特許出願され、平成１１年８月１３日に特許権の設定の登録がされた後、特許異議の申立てがされ、当審による平成１２年６月３０日付け取消理由通知の意見書提出の指定期間内である平成１３年１月１８日に、明細書の訂正請求（その後平成１５年１１月１９日付けの訂正請求書取下書により取下げられた。）がされた。さらにその後、当審より平成１５年１１月１７日付けで取消理由通知がされ、それに対して意見書提出の指定期間内である平成１５年１２月１８日に、明細書の訂正請求がされた。　
　
２．平成１５年１２月１８日になされた訂正請求について
（１）訂正の内容
訂正事項ａ
　特許請求の範囲の請求項１中の「臼歯および／または小臼歯を備え」を、請求項１２に記載されていた「臼歯（１２，１４）が３ないし５個の咬頭（２４，５２，６６，６８；２６，６０，９０，９２）を有し、小臼歯が２ないし５個の咬頭（８６，８８）を備え」に訂正する。
　
訂正事項ｂ
　特許請求の範囲の請求項１中の「このくぼみ上で」の後に、「上顎臼歯がその対咬歯（１４）と圧砕咬頭に対して３点接触する咬頭嵌合をもって、且つ対咬歯の部分的に凸状に湾曲した領域（２０，２２）が凹状に湾曲した領域（３６，３８）に対して頬側−舌側方向において、好適にはさらに近心−遠心方向において接合し、冠内状の自由空間（４６）を形成して」を加え、また特許請求の範囲の請求項１中の「複数接触の咬頭嵌合をもって」を削除する。
　
訂正事項ｃ
　特許請求の範囲の請求項２〜４，１２を削除し、削除に伴い各請求項の項番及び請求項中の引用請求項の項番を整合させるため、以下のように訂正する。「請求項５」〜「請求項１１」をそれぞれ、「請求項２」〜「請求項８」に、「請求項１３」〜「請求項２５」をそれぞれ、「請求項９」〜「請求項２１」に訂正する。また、訂正前の請求項４〜１１に記載されていた引用請求項の項番に関する記載中「１ないし４のいずれかに」，「１ないし５」，「６」，「７」，「８」，「９」，「１０」を、それぞれ、「１に」，「１および２」，「３」，「４」，「５」，「６」，「７」に訂正する。さらに、訂正前の請求項１３〜２５に記載されていた引用請求項の項番に関する記載中「１２」，「１３」，「１４」，「１５」，「１６」，「１７」，「１８」，「１９」，「２０」，「２１」，「２２」，「２３」，「２４」をそれぞれ、「８」，「９」，「１０」，「１１」，「１２」，「１３」，「１４」，「１５」，「１６」，「１７」，「１８」，「１９」，「２０」に訂正する。
　
訂正事項ｄ
　特許請求の範囲の請求項５（訂正後の請求項２）の「三脚状に」、明細書【００１１】、【００２７】及び【００４３】の「三脚状」、【００２６】、【００２８】、【００３０】、【００４８】及び図面の簡単な説明中【図１】の「三脚状の」を、それぞれ、「上顎臼歯がその対咬歯（１４）と圧砕咬頭に対して３点接触する」と訂正する。
　
訂正事項e
　特許請求の範囲の請求項５（訂正後の請求項２）中の「第三の接触点」を「別の接触点」と訂正する。
　
訂正事項f
　特許請求の範囲の請求項６（訂正後の請求項３）中の「頬側舌側咬頭」を「頬側下顎咬頭」と訂正する。
　
訂正事項ｇ
　特許請求の範囲の請求項７（訂正後の請求項４）中の「唇側咬頭」を「舌側咬頭」と訂正する。
　
訂正事項ｈ
　特許請求の範囲の請求項９（訂正後の請求項６）中の「上顎歯（１４）」を「上顎歯（１２）」と訂正する。
　
訂正事項i
　特許請求の範囲の請求項１９（訂正後の請求項１５）中の「相当な距離をおいた位置に」を、「少なくとも２０％の距離をおいた位置に」と訂正する。
　
（２）訂正の適否について
　
　訂正事項ａは、請求項１に記載の「臼歯」および「小臼歯」を、請求項１２に記載されていた通りに限定するものであり、特許請求の範囲の減縮に当たる補正であるし、願書に添付した明細書及び図面に記載した事項の範囲内の訂正である。
　
　訂正事項ｂは、請求項１に記載の義歯セットが請求項３に記載の少なくとも「対咬歯の部分的に凸状に湾曲した領域（２０，２２）が凹状に湾曲した領域（３６，３８）に対して頬側−舌側方向において接合し、冠内状の自由空間（４６）を形成」する構造のものであることを規定すると共に、この領域が「好適にはさらに近心−遠心方向において接合」することを規定したものであるが、上記「冠内状の自由空間（４６）を形成」する凹凸領域が頬側−舌側方向のみならず「近心−遠心方向」にも接合する場合については、【００１３】に記載されている。
　また、請求項１中の「複数接触の咬頭嵌合をもって」の削除は、上顎臼歯がその対咬歯（１４）と圧砕咬頭に対して「３点接触する咬頭嵌合をもって」なされることを規定したことに伴い、重複した記載を削除したものである。そして、上顎臼歯がその対咬歯（１４）と圧砕咬頭に対して「３点接触する咬頭嵌合をもって」なされる点は、請求項２で、複数接触の咬頭嵌合が「三脚状に形成される」の意味するところが明瞭でなかったのを、明細書の記載（【００１２】の「三つの接触点」、【００４３】の「三点に接触」等）に基づき明瞭な記載としたものである。
　したがって、訂正事項は、特許請求の範囲の減縮及び明りょうでない記載の釈明を目的とするものであるし、明細書及び図面に記載した事項の範囲内の訂正である。
　
　訂正事項ｃの請求項を削除する訂正は、特許請求の範囲の減縮を目的とするものであり、請求項の番号の繰り上げは、明りょうでない記載の釈明を目的とするものである。
　
　訂正事項ｄは、訂正事項ｂに関して説明したとおり、「三脚状」なる記載を明りょうでない記載の釈明を目的として訂正するものであり訂正事項ｂに対する判断で記載したように明細書及び図面に記載した事項の範囲内の訂正である。
　
　訂正事項ｅは、請求項５（訂正後の請求項２）中の「第三の接触点」が、三脚状（３点接触の）咬頭嵌合における接触点かそれとは別の接触点であるのか、特許請求の範囲の記載上不明瞭であったのを、平成１５年１１月１７日付け取消理由通知での指摘に従い、３点接触の接触点とは異なる「別の接触点」であることを明りょう化するための訂正である。この訂正は、明細書【００２７】の図１の説明において、「咬合面１８の頬側部分が咬合面１６と接触しており、すなわち頬側咬頭２６が上顎臼歯１２の咬合面１６の舌側傾斜面に接触している。」に記載される接触点であり、３点接触する圧砕咬頭２４とは別のものであることは明らかである。
　
　訂正事項fは誤記の訂正を目的とするものである。すなわち、請求項６（訂正後の請求項３）中の「頬側舌側咬頭」には符号２６が付されており、２６は、図６に記載されるように頬側に位置するものであり、「頬側下顎咬頭」の誤記であることは明らかである。
　
　訂正事項ｇは誤記の訂正を目的とするものである。請求項７（訂正後の請求項４）中の「唇側咬頭」は符号２４が付されており、２４は図面及び【００２６】の「舌側位置に形成された圧砕咬頭２４」なる記載から「舌側咬頭」であることが明らかである。
　
　訂正事項ｈは誤記の訂正を目的とするものである。請求項９（訂正後の請求項６）中の「上顎歯（１４）」は、請求項７の「上顎の歯（１２）」なる記載や図１等の記載から「上顎歯（１２）」の誤記であることは明らかである。
　
　訂正事項iに関し、請求項１９（訂正後の請求項１５）中の「相当な距離をおいた位置に」なる記載が明瞭でなかったのを、当該記載に関連して【００２２】に圧砕咬頭が対咬歯の咀嚼面の縁部から「明確な距離」おくよう構成されること及び「咀嚼面の縁部との間に少なくとも２０％の距離が存在する」ことが記載されていることを根拠に訂正するものであるから、明りょうでない記載の釈明を目的とするものであり、また、明細書及び図面に記載した事項の範囲内の訂正である。
　
　上記の通り、訂正事項ａ〜ｉは、いずれも願書に添付した明細書及び図面に記載した事項の範囲内の訂正であり、また、実質上特許請求の範囲を拡張し、又は変更するものでもないから、特許法第１２０条の４第２項ただし書き並びに同法第１２０条の４第３項で準用する同法第１２６条第２項及び第３項の規定に適合するものであるので、訂正を認める。     
　
３．特許異議申立についての判断
　
１）本件発明
 　上記２．に示したように本件訂正は認められるから、本件特許の請求項１〜２１に係る発明は、訂正明細書の特許請求の範囲の請求項１〜２１に記載された事項により特定される、次のとおりのものである。
　
【特許請求の範囲】
　　【請求項１】　加工された歯からなる義歯セットであって、上顎および下顎に臼歯（１２，１４）が３ないし５個の咬頭（２４，５２，６６，６８；２６，６０，９０，９２）を有し、小臼歯が２ないし５個の咬頭（８６，８８）を備え、少なくとも上顎臼歯が舌側位置に圧砕咬頭を有し、これがそれぞれ対応する下顎対咬歯の咀嚼面に整合するよう設定され、対咬歯（１４）の咀嚼面（１８）が部分的に凸状に湾曲する領域（２０，２２）を有する穴部（４５）を備え、このくぼみ上で上顎臼歯がその対咬歯（１４）と圧砕咬頭に対して３点接触する咬頭嵌合をもって、且つ対咬歯の部分的に凸状に湾曲した領域（２０，２２）が凹状に湾曲した領域（３６，３８）に対して頬側−舌側方向において、好適にはさらに近心−遠心方向において接合し、冠内状の自由空間（４６）を形成して対咬歯（１４）が圧砕咬頭（２４）に対してセンタリングされることを特徴とする義歯セット。
　　【請求項２】　上顎臼歯がその対咬歯（１４）と圧砕咬頭に対して３点接触する咬頭嵌合させるための別の接触点を圧砕咬頭から離れた頬側咬頭（５２）の一つに設置することによって形成することを特徴とする請求項１に記載の義歯セット。
　　【請求項３】　咬頭嵌合において頬側下顎咬頭（２６）が上顎対咬歯（１２）の中央くぼみ（４８）の頬側面との接触状態に達することを特徴とする請求項１および２のいずれかに記載の義歯セット。
　　【請求項４】　上顎の歯（１２）の中央くぼみ（４８）と舌側咬頭（２４）との間の距離が下顎の歯（１４）の中央くぼみ（５０）と頬側咬頭（２６）との間の距離より小さいことを特徴とする請求項１ないし３のいずれかに記載の義歯セット。
　　【請求項５】　下顎歯（１４）の咀嚼面幅を義歯セットの大きさにかかわらず小臼歯（９５）については４．８ないし６．０ｍｍ、臼歯（１２）については５．７ないし７．０ｍｍとすることを特徴とする請求項１ないし４のいずれかに記載の義歯セット。
　　【請求項６】　上顎歯（１２）の咀嚼面幅を義歯セットの大きさにかかわらず小臼歯（９５）については４．８ないし７．３ｍｍ、臼歯（１２）については６．２ないし７．８ｍｍとすることを特徴とする請求項１ないし５のいずれかに記載の義歯セット。
　　【請求項７】　臼歯（１２）における咬頭嵌合状態において上顎圧砕咬頭（２４）が対応する下顎対咬歯（１４）の中央くぼみ（５０）と横断くぼみ（７０）との間の交差によって形成される穴部（４５）内に収容されることを特徴とする請求項１ないし６のいずれかに記載の義歯セット。
　　【請求項８】　凸状領域（２０，２２，３０，３２，３４）に接する凹状領域（３６，３８，４０，４２）が下顎咬頭（２６，６０）ばかりでなく上顎咬頭（５２，２４）の側面にも設けられ、これらの側面間に少なくとも部分的にくぼみ（４８，５０）または溝が形成されることを特徴とする請求項１ないし７のいずれかに記載の義歯セット。
　　【請求項９】 下顎小臼歯が対咬歯の咬頭を収容するための二つの穴部（９６，９８）を有し、上顎小臼歯が近心−遠心方向に伸びるくぼみ（５０）を有することを特徴とする請求項１ないし８のいずれかに記載の義歯セット。
　　【請求項１０】　少なくとも二つの小臼歯がそれぞれ中央くぼみ（５０）を有することを特徴とする請求項１ないし９のいずれかに記載の義歯セット。
　　【請求項１１】　少なくとも第一の上顎臼歯が対向して配置された穴部（７４，７６）を有し、一つの穴部（７６）が近心−頬側位置に、もう一つの穴部（７４）は遠心−舌側位置に配置され、これらは中央くぼみ（５０）によって互いに結合され、この中央くぼみは軽く傾斜して近心−頬側／遠心−舌側方向に伸びており、近心−頬側穴部（７６）から横断くぼみ（７０）が頬側方向に伸び、遠心−舌側穴部（７４）からは横断くぼみ（７０）が舌側方向に伸びていることを特徴とする請求項１ないし１０のいずれかに記載の義歯セット。
　　【請求項１２】　圧砕咬頭（２４）が近心−舌側位置に形成されていることを特徴とする請求項１ないし１１のいずれかに記載の義歯セット。
　　【請求項１３】　上顎第一臼歯（１２）の遠心−頬側咬頭（６６）が中央くぼみ方向において曲面（７３）を有することを特徴とする請求項１ないし１２のいずれかに記載の義歯セット。
　　【請求項１４】　下顎第一臼歯（１４）が遠心−頬側位置に追加的なくぼみ（９４）を有し、これが遠心−頬側方向に斜めに伸びていることを特徴とする請求項１ないし１３のいずれかに記載の義歯セット。
　　【請求項１５】　咬頭嵌合状態において圧砕咬頭（２４）が対咬歯（１４）の咀嚼面（１８）の縁部から少なくとも２０％の距離をおいた位置に整合することを特徴とする請求項１ないし１４のいずれかに記載の義歯セット。
　　【請求項１６】　一本の上顎小臼歯の舌側咬頭（８８）の頂点がこの歯の中央くぼみ（５０）の横中央位置に対して近心側に配置されることを特徴とする請求項１ないし１５のいずれかに記載の義歯セット。
　　【請求項１７】　上顎第一小臼歯の頬側咬頭（８６）の頂点がこの歯の中央くぼみ（５０）の横中央位置に対して遠心側に配置されることを特徴とする請求項１ないし１６のいずれかに記載の義歯セット。
　　【請求項１８】　下顎臼歯（１４）の舌側咬頭（９２，６０）が頬側咬頭（９０，２６）と比較して歯の縁よりに配置され、これらの舌側咬頭（９２，６０）の頂点が下顎臼歯（１４）の頬側咬頭（９０，２６）の頂点と比べてより大きく近心−遠心方向に離れていることを特徴とする請求項１ないし１７のいずれかに記載の義歯セット。
　　【請求項１９】　咬頭傾斜角が第一小臼歯から第二小臼歯（１４）に向かって徐々に低下し、第二臼歯（１４）は第一臼歯（１４）とほぼ同等かあるいは幾らか平坦な咬頭傾斜を有することを特徴とする請求項１ないし１８のいずれかに記載の義歯セット。
　　【請求項２０】　上顎臼歯（１２）の咬頭（２４，５２，６６，６８）がほぼ平行四辺形状に配置されていることを特徴とする請求項１ないし１９のいずれかに記載の義歯セット。
　　【請求項２１】　下顎臼歯（１４）の咬頭（２６，６０，９０，９２）がほぼ四角形状に配置されていることを特徴とする請求項１ないし２０のいずれかに記載の義歯セット。
　
２）特許異議申立の概要
　
（１）本件特許に係る明細書及び図面の記載には不備があり、本件特許は、以下の点で特許法第３６条に規定する要件を満足しない。
　
ａ．特許請求の範囲に記載の「圧砕咬頭」、請求項６の「頬側舌側咬頭」、請求項７の「唇側咬頭」、請求項１９の「相当な距離」なる用語の意味が不明である。
ｂ．請求項２および請求項５の「複数接触の咬頭嵌合を三脚状に形成する」が、１つの咬頭を３点で支えるものか、それとも上顎歯と下顎歯が３点で接触するものであるのか不明である。
ｃ．請求項３の「冠内状の自由空間」の意味するところが不明である。
　
（２）本件特許時の請求項１〜２５に係る発明は、その出願前日本国内において頒布された刊行物である下記の甲第１〜６号証に記載された発明に基づいて、その出願前にその発明の属する技術の分野における通常の知識を有する者が容易に発明をすることができたものであり、特許法第２９条第２項の規定に違反してされたものである。
　特に、請求項１〜６は、甲第１号証および同第２号証に開示されている歯科臨床における補綴や人工歯作製の際の咬合調節のための知識及び自然歯における知見から当業者が容易に発明し得たものである。また、請求項７〜２５で規定されている点は、甲第３号証および甲第４号証に記載のような自然歯の解剖学的知見を記述したものであり、甲第５号証に示されるように自然歯を模倣して義歯を作製しようとする試みが古くより行われていることから、甲第１〜６号証に記載された発明に基づいて、当業者が容易に発明することができたものである。 　
　
甲第１号証
　「咬合を考える　歯界展望／別冊」　医歯薬出版株式会社、昭和４８年６月２５日
２１６〜２１８頁
甲第２号証
　Quintessence of Dental Technology Vol. l９／１９９４ ５０８〜５２６頁（難羽康博「歯科技工士のための臼歯の咬合」（１９９４年）６０〜７８頁）
甲第３号証
　藤田恒大郎　原著「歯の解剖学」（第１９版）金原出版株式会社　昭和４９年１月３０日　４８〜５０，５４〜５７，６０，６３，６５，６７，７０，７４，７５，７７，８４及び１０３頁
甲第４号証
　小林茂夫　監訳　「ホイ−ラ−　歯の解剖・生理・咬合学」西村書店（１９９０年１２月２０ 日）
　１４，１６６〜１７０，１８０，１９０，２００，２１３，２２２，２４１および２５１頁
甲第５号証
　和久本貞雄　著「歯科材料・器械」医歯薬出版株式会社（昭和４２年２月２５日）１０８，１０９頁
甲第６号証
　歯科技工辞典　医歯薬出版株式会社　（１９９１年）５１４頁
　
３）引用先願及び引用刊行物の記載事項
　
甲第１号証
　クラウン・ブリッジの咬合のための咬頭の位置と接触について開示し、１歯対２歯で、上顎小臼歯機能咬頭（舌側咬頭）が下顎臼歯に接触する位置によりタイプＩとタイプIIに分けられることが記載され、接触点について、「歯の解剖的関係から鼓型空隙に向かうものは２点、窩に向かうものは３点となり、それぞれのは咬頭頂は接触しないで、咬頭の近遠心隆線か三角隆線が接触する」こと（２１７頁左欄）、そして、１歯対１歯の接触関係は、「接触点は咬頭がすべて窩に向かうため、咬頭頂は接触せずに３点で接触する」こと（同頁右欄１３〜１４行および図１６）が記載されている。さらに、２１８頁左欄および図１７には、上顎歯と下顎歯をABCの３点、すなわち上顎頬側咬頭の内斜面（A）および舌側咬頭（BC）にて接触させる態様が好ましい旨記載されている。
　
甲第２号証
　臼歯のウラウンを作る上での基本的な考え方と実際の作り方について記載されており、６１頁右欄には咬頭嵌合位におけるオクルーザル・コンタクト、すなわち咬頭嵌合状態における接触形態としてPMSと、ナソロジーの２種類があり、「ナソロジー」では咬頭対窩で３点接触である旨が開示されている（図３）。そして、６２頁の図４a−e には、筆者が臨床で目標とするオクル−ザル・コンタクトが図示されており、上顎舌側咬頭が下顎中央窩に３点接触している態様が示されている。また、６８頁図１６aおよびbでは、咬頭を三点で支えれば安定であることが説明されており、同頁左欄５〜８行には、「遠心舌側咬頭は・・・隆線も盛り上がったようには作らず、断面図は図１７のように作る。」とあり、６９頁図１７には、「ボコっと盛り上がった形」にオクルーザル・コンタクトを形成することが記載されている。同様の形状が、７６頁図５０に、上顎機能咬頭と下顎の嵌合状態の模式図として記載されている。
　
甲第３号証
　各上顎臼歯および下顎臼歯（自然歯）の解剖学的形態が開示されている。
　４９，５０ 頁には、上顎第一小臼歯のサイズ、形態が示されるとともに、上顎第一小臼歯が２つの咬頭を備え、舌側咬頭頂は近心に偏していることが、そして、５５頁に下顎第一小臼歯の、６０頁には同様に下顎第二小臼歯のサイズおよび形態がそれぞれ記載されている。また、６５頁図７１には上顎大臼歯の咬合面観が記載され、咬頭が４個記載され、図７３には上顎大臼歯の咬頭が３乃至４個であることが図示されている。さらに、７４頁には、下顎大臼歯の咬頭が基本的に５個であることが記載され、７５頁には下顎第一大臼歯の咬合面観が記載されている。
　
甲第４号証
　自然歯の解剖学的形態が記載されている。
　
甲第５号証
　人工歯の陶歯として、自然歯に近いものが出来つつあることが記載されている。
　
甲第６号証
　「隆線」という用語が、臼歯の咬合面にみられる隆起すなわち凸部をさすことが記載されている。
　
４）当審の判断
（１）３６条について
ａ．「圧砕咬頭」については、特許明細書及び図面において符号２４で示されており、図１〜３、明細書【００２６】、【００３３】、【００３４】に位置および機能について説明されるように、上顎臼歯の舌側に位置する咬頭であり、対臼歯のくぼみ上で三点接触をもって咬頭嵌合し、対臼歯がセンタリングされる機能および食物を破砕および切断する機能をもつものであるから、本件明細書等の記載および技術常識から、「圧砕咬頭」がいわゆる機能咬頭を意味することは明らかである。
　また、「頬側舌側咬頭」、「唇側咬頭」、「相当な距離」なる用語については、前述の通り、それぞれ「頬側下顎咬頭」、「舌側咬頭」、「少なくとも２０％の距離をおいた位置に」と訂正され、意味内容は明瞭となっている。
　
ｂ．「複数接触の咬頭嵌合を三脚状に形成する」点については、訂正請求項１に「上顎臼歯がその対咬歯（１４）と圧砕咬頭に対して３点接触する咬頭嵌合」と記載され、１つの咬頭を３点で支えるものであることが明らかとなった。
　
ｃ．「冠内状の自由空間」の意味については、訂正請求項１において、「対咬歯の部分的に凸状に湾曲した領域（２０，２２）が凹状に湾曲した領域（３６，３８）に対して頬側−舌側方向において、好適にはさらに近心−遠心方向において接合し、冠内状の自由空間（４６）を形成して」と記載され、また、図１に符号４６で図示され、明細書【００１３】、【００１８】、【００２１】、【００２６】、【００２８】、【００２９】、【００３１】【００３２】に説明され、特に【００２８】に「図１に示されているように、下顎臼歯１４の凸状領域２０，２２，２８、上顎臼歯１２の凸状領域３０，３２，３４、下顎臼歯１４の凹状領域３６，３８および上顎臼歯１２の凹状領域４０，４２が交互に並んでいる。これによって上顎臼歯がその対咬歯（１４）と圧砕咬頭に対して３点接触する咬合嵌合のわきに移動領域が形成され、これは下顎臼歯１４上に移動領域４４として示されており、冠内状の自由空間４６が形成されている。」と記載されているように、対咬歯の凸状湾曲領域と凹状湾曲領域が頬側−舌側方向さらには近心−遠心方向に並んで接合して形成されることで三点接触の咬合状態のわきに形成される移動領域であり、すり鉢原理が実現するための移動可能空間のことであることは明らかである。
　
（２）２９条第２項について
　
Ａ．請求項１に対して
　前述の通り、訂正後の本件特許の請求項１に係る発明（以下、「本件発明」という）は、以下の通りである。
「加工された歯からなる義歯セットであって、上顎および下顎に臼歯（１２，１４）が３ないし５個の咬頭（２４，５２，６６，６８；２６，６０，９０，９２）を有し、小臼歯が２ないし５個の咬頭（８６，８８）を備え、少なくとも上顎臼歯が舌側位置に圧砕咬頭を有し、これがそれぞれ対応する下顎対咬歯の咀嚼面に整合するよう設定され、対咬歯（１４）の咀嚼面（１８）が部分的に凸状に湾曲する領域（２０，２２）を有する穴部（４５）を備え、このくぼみ上で上顎臼歯がその対咬歯（１４）と圧砕咬頭に対して３点接触する咬頭嵌合をもって、且つ対咬歯の部分的に凸状に湾曲した領域（２０，２２）が凹状に湾曲した領域（３６，３８）に対して頬側−舌側方向において、好適にはさらに近心−遠心方向において接合し、冠内状の自由空間（４６）を形成して対咬歯（１４）が圧砕咬頭（２４）に対してセンタリングされることを特徴とする義歯セット。」
　
　そこで、本件発明と甲第１〜３号証に記載の発明を比較する。甲第１号証の２１７頁の図１３、１４を参酌するに、甲第１号証には、上顎臼歯の舌側位置に位置する叩頭（圧砕咬頭）がそれぞれ対応する下顎対咬歯の窩に向かって３点接触する咬頭嵌合をする場合が図示され、甲第２号証の６２頁図４a−e には、筆者が臨床で目標とするオクル−ザル・コンタクトとして上顎臼歯の舌側位置にある機能叩頭（圧砕咬頭）がそれぞれ対応する下顎対咬歯の咀嚼面のくぼみ上でその対咬歯と３点接触する咬頭嵌合をする場合が図示されている。
　また、本件発明の義歯セットにおける、上顎臼歯の舌側圧砕咬頭に対応する下顎対咬歯が「咀嚼面が部分的に凸状に湾曲する領域を有する穴部を備え」「且つ対咬歯の部分的に凸状に湾曲した領域が凹状に湾曲した領域に対して接合す頬側−舌側方向において、好適にはさらに近心−遠心方向において接合」する形状である点に関し、甲第１号証第２１８頁図１７〜１９に上顎臼歯の舌側咬頭と対向する下顎臼歯の部分が部分的に凸状に湾曲した領域と凹状に湾曲した領域とが接合した形状になっていると解されるものが記載され、また、甲第２号証の７６頁の図５０に、上顎機能（圧砕）咬頭と下顎中央窩の接触を模した図が記載され、中央窩は、部分的に凸状に湾曲した領域と凹状に湾曲した領域とが接合した形状になったものが記載されている。
　さらに、甲第３号証には、自然歯の上顎および下顎臼歯が本件発明の義歯セットにおける臼歯および小臼歯と同様、それぞれ３〜５個の咬頭および２〜４個の咬頭を有することが記載されている。
　
　しかしながら、甲第１、２号証は、いずれもクラウン（クラウン・ブリッジ）のような人工歯の製造における基本となる考え方および技工を記載するものであって、本件発明のような義歯セット（いわゆる入れ歯であって歯茎に取り付けるための基礎面を備えている）の臼歯の咬頭嵌合を記載するものではない。
　本件明細書【０００３】及び【０００５】に記載されるように、自然歯では咀嚼に際し、咬頭の整合は、まず平衡側が接触し、さらに作業側が咬筋及び中央翼状筋の働きにより平衡咬合を作るようにして達成され、また、咬合状態の移行に際して前方犬歯誘導が作用し、自然の犬歯を中心とした良好な誘導作用により決められた咬合状態が達成されるのに対し、本件発明のような義歯セットでは、自然歯のように顎に対して歯が根から固定されておらず、咬合状態の移行に際して、義歯の前方領域に比較的大きな側方圧力がかかり、これを義歯と顎で充分に緩衝することが不可能であるため義歯が水平に滑動してしまい、これが痛み及び組織破壊の原因となるという問題があったのを、本件請求項１に記載の構成の義歯セットとすることで解決したものであるが、甲第１、２号証では、本件発明の義歯セットにおけるこのような問題は生じない。
　
　そして、自然歯や臼歯、小臼歯のクラウンでは問題とならないが、臼歯および小臼歯を備え、歯茎に取り付けるための部分を有するものである本件発明の義歯セットでは問題となる上述の課題に対して、本件発明では、義歯セットの臼歯を「対咬歯（１４）の咀嚼面（１８）が部分的に凸状に湾曲する領域（２０，２２）を有する穴部を備え、このくぼみ上で上顎臼歯がその対咬歯（１４）と圧砕咬頭に対して３点接触する咬頭嵌合をもって、且つ対咬歯の部分的に凸状に湾曲した領域（２０，２２）が凹状に湾曲した領域（３６，３８）に対して頬側−舌側方向において、好適にはさらに近心−遠心方向において接合し、冠内状の自由空間（４６）を形成」することにより「対咬歯（１４）が圧砕咬頭（２４）に対してセンタリングされる」ように構成することで、解決したものである。
　すなわち、【００１１】、【００１３】【００１４】【００２８】に記載されているように、本件発明の義歯セットにおいては、上顎臼歯がその対咬歯（１４）と圧砕咬頭に対して３点接触する咬頭嵌合であることにより破砕機能を損なうことなく小さな咀嚼力によって良好な咀嚼効果が達成され、また、圧砕咬頭と対咬歯との間の接触点が頬側の下顎咬頭と上顎の中央くぼみの頬側面の間に適宜に配置されることにより、力の誘導が標準的な咀嚼に際して好適な舌側方向に転位され、さらには下顎の舌側方向への誘導が生じるものであって、咀嚼面を少なくとも部分的に凸状に湾曲した領域に接して凹状に湾曲した領域を接合させたものとすることにより３点接触する咬合嵌合のわきに冠内状の自由空間を形成する移動領域が形成され、すり鉢原理が実現可能となり、小さな咀嚼力によって良好な咀嚼効果が達成される。また、咬合状態への移行に際し良好な誘導作用及び顎と義歯セットとの良好な緩衝作用を持つことが可能となり、平衡側は問題なく最大の咬合状態に達し、咬筋を介して作業側の咀嚼効果が最大化されるものである。
　
　してみると、甲第１、２号証にクラウン義歯に適用する人工歯の構造として、上顎臼歯の圧砕咬頭が対応する下顎対咬歯の窩に向かって３点接触で咬頭嵌合する場合や上顎の圧砕咬頭に対応する下顎中央窩が部分的に凸状に湾曲した領域と凹状に湾曲した領域とが接合した形状になった場合が記載されており、クラウン義歯の製造技術をいわゆる入れ歯（義歯セット）の製造技術に転用することが可能であるとしても、人工歯あるいは自然歯の構造の中から、臼歯（小臼歯）の上記特定の構造部分に着目し、それを義歯セットを構成する臼歯の構造として採用することにより、上述の通りの優れた効果を有する義歯セットが得られたのであるから、本件発明を単なる公知技術の組合せおよび転用にすぎないものとすることは出来ない。
　
　また、甲第４号証は、本件特許の下位の請求項に係る発明における義歯セットを構成する臼歯の形状が、自然歯の形状に一致していることを示すために特許異議申立人が提出したものであり、単に自然歯の解剖学的知見を記載しているにすぎず、本件請求項１に係る発明の上述のような特徴を何ら示唆するものではない。
　さらに甲第６号証は、隆線という用語の定義を記載するのみであり、本願発明の義歯セットを何ら示唆していない。
　
　したがって、本件発明が甲第１〜６号証に記載の発明に基づいて当業者が容易に想到し得たものであると認めることはできない。
　
Ｂ．本件特許の請求項２〜２１に係る発明は、請求項１に係る発明の従属発明であり、本件特許の請求項１に係る発明が上記の通り、刊行物１〜６に記載の発明に基づいて当業者が容易に発明し得たものと認めることが出来ない以上、これらの発明についても刊行物１〜６に記載の発明に基づいて当業者が容易に発明し得たものとは認められない。
　　
 ４．むすび　
　以上のとおりであるから、特許異議申立ての理由及び証拠によっては、本件の請求項１〜２１に係る発明についての特許を取り消すことができない。
　よって、結論のとおり決定する。
【異議決定日】
平成１６年１月２３日（２００４．１．２３）
【訂正の要旨】
審決（決定）の【理由】欄参照。
（５４）【発明の名称】
義歯セット
（５７）【特許請求の範囲】
　【請求項１】　加工された歯からなる義歯セットであって、上顎および下顎に
臼歯（１２，１４）が３ないし５個の咬頭（２４，５２，６６，６８；２６，６０，９０，９２）を有し、小臼歯が２ないし５個の咬頭（８６，８８）
が部分的に
上顎臼歯がその対咬歯（１４）と圧砕咬頭に対して３点接触する咬頭嵌合
且つ対咬歯の部分的に凸状に湾曲した領域（２０，２２）が凹状に湾曲した領域（３６，３８）に対して頬側−舌側方向において、好適にはさらに近心−遠心方向において接合し、冠内状の自由空間（４６）を形成して対咬歯（１４）が圧砕咬頭
　【請求項
２
上顎臼歯がその対咬歯（１４）と圧砕咬頭に対して３点接触する
別の
請求項１に記載の
　【請求項
３
頬側下顎咬頭
および２の
　【請求項
４
舌側咬頭
３
　【請求項
５
４
　【請求項
６
（１２）
５
　【請求項
７
６
　【請求項
８
７
　【請求項
９
８
　【請求項
１０
９
　【請求項
１１
１０
　【請求項
１２
１１
　【請求項
１３
１２
　【請求項
１４
１３
　【請求項
１５
少なくとも２０％の距離をおいた位置に
１４
　【請求項
１６
１５
　【請求項
１７
１６
　【請求項
１８
１７
　【請求項
１９
１８
　【請求項
２０
１９
　【請求項
２１
２０
【発明の詳細な説明】
　【０００１】
　【産業上の利用分野】
　この発明は、請求項１の前段に定義された義歯セットに関する。
　【０００２】
　【従来の技術】
　この種の義歯セットはスイス特許第ＣＨ−ＰＳ−４０５６０１号により知られている。破砕機能に注目してみると、この義歯はすり鉢原理によって作用することから、比較的良好な咀嚼効果を有する。しかしながら、このスイス特許第ＣＨ−ＰＳ−４０５６０１号による加工された義歯の間で繊維構成の食肉または野菜等の繊維性物質を噛み砕く場合、その咀嚼効果は著しく低下する。この従来の義歯セットにおいては、互いにぶつかり合う凸表面の曲率半径を凹表面のものより著しく小さく選択することにより、随意的静止を保持する必要がある。しかしながら、この種の構成においては、上顎咬頭が下顎の近心−遠心縁部に到達することを防止することはできず、これが歯への負荷状態を悪化させ、また随意的静止を妨害する。
　【０００３】
　咀嚼行程において下顎は空間的に広がった特殊な曲線を描くことが知られており、これは咀嚼輪と呼ばれている。例えば、下顎臼歯についてみると、咀嚼輪は咬合の直前に舌側または頬側方向ばかりでなく上顎に対する下顎の遠心方向にも斜め移動するよう作用する。この動作のため、対咬歯は通常まずその咬頭が接触し、しかも通常食物をあまり咀嚼しない側、すなわちいわゆる平衡側が接触する。自然の歯においては咬頭の整合は、平衡側、さらに作業側が咬筋および中央翼状筋の作用によりいわゆる平衡咬合を作るようにして達成される。平衡側における支持は、作業側において片腕てこ（ワンアーム・レバー）の原理によって比較的小さな筋力で大きな咀嚼効果が達成される利点をもたらす。
　【０００４】
　この原理はスイス特許第ＣＨ−ＰＳ−４０５６０１号に示された義歯セットにおいてはあまり考慮されていない。比較的大きな半径を有する凹面構造によっては平衡側の誘導作用が全く得られないかあるいはごく僅かの誘導作用しか得られない。それどころか、圧砕咬頭が対咬歯の舌側咬頭に当たり、不良咬合に陥る危険性がある。
　【０００５】
　自然の歯においては、咬合状態への移行に際し前方犬歯誘導が作用し、自然の犬歯の良好な誘導作用により決められた咬合状態が達成される。この前方犬歯誘導の構想を人工の歯において実現することも知られている。しかしながら、総入れ歯の場合にはこれによって入れ歯の前側領域に比較的大きな側方圧力がかかり、これを入れ歯と顎の間で十分に緩衝することはできない。したがって入れ歯が水平に滑動し、これが痛みおよび組織破壊の原因となり得る。部分入れ歯の場合にもこの構想を実現することが好適であり、これによって義歯セットを総入れ歯においてもまた部分入れ歯においても適用可能となる。
　【０００６】
　さらに、米国特許第ＰＳ−３７５５８９８号により、やはり小さな半径の凸面とより大きな半径の凹面を組み合わせた義歯セットが示されている。これには多数の横断溝が設けられており、これらの溝は片端が閉じ舌側もしくは頬側が開口しており、この溝を介して破砕された食物が押し出される。この種の義歯セットは基本的に圧砕咬頭を備えておらず、実際には上顎に圧砕縁面を備えており、これは近心−遠心方向に伸びている。
　【０００７】
　この様な歯の形状は良好な随意的静止を達成せず、咬合状態への移行に際し咀嚼輪の最終付近で近心−遠心動作要素は生じない。
　【０００８】
　さらに、セラミック製の歯と天然の歯を組み合わせる場合、鋭い縁部は好適でない。セラミック製の歯は通常自然の歯よりも著しく硬質であるため、自然の歯に過度の消耗が生じる。したがって米国特許第ＰＳ−３７５５８９８号に示された解決策は基本的にプラスチック製の歯にしか適合しない。
　【０００９】
　【発明が解決しようとする課題】
　したがって、本発明の目的は、基本的に総入れ歯にも部分入れ歯にも適応し、異なった咬合様態を実現し、工場加工され咀嚼機能が改善されているにもかかわらず万能に適用可能である請求項１に定義された義歯セットを提供することである。
　【００１０】
　【課題を解決するための手段】
　この課題は、請求項１に記載の概念によって解決される。さらに、従属項によって効果的な追加構成が示されている。
　【００１１】
　本発明の核心である複数接触−咬頭嵌合、特に
上顎臼歯がその対咬歯（１４）と圧砕咬頭に対して３点接触する
　【００１２】
　さらに通常の咀嚼においても力の誘導が最適化される。圧力が最大にかかる直前、すなわち食物が最終的に破砕される直前に少なくとも二つの接触点または接近点、好適には三つの接触点または接近点で支持することも可能であり、これらの接触または接近点は実質的に対称に配置される。発生する力ベクトルは水平面に関して中立し、この際中心点を下顎および上顎隆起部に対して中心的に設定することを考慮する必要があるだけである。
　【００１３】
　本発明に係る義歯セットは部分入れ歯に使用することもでき、すなわち自然の歯に対する対咬歯として使用することができる。ここで、特に好適には、本発明にしたがったセンタリングが自然の歯に対する対咬歯に使用できるという事実が利用される。接触面を三つの接触点に絞ることにより、破砕機能を損なうことなく良好な咀嚼効果が得られる。この点に関して、本発明は少なくとも部分的に凸状に湾曲した領域に接して凹状に湾曲した領域を接合させることを可能にする点で効果的であり、これによって冠内状（ｉｎｔｅｒｃｏｒｏｎａｌ）の自由空間が形成される。これによってすり鉢原理が実現し、ここで接合が近心−遠心方向ばかりでなく頬側−舌側方向においても生じ得ることが明らかであり、さらに中央くぼみから突出する咬頭へ向かう方向に限らず、例えば横断溝の方向においても生じ得ることが明らかである。
　【００１４】
　さらに本発明の別の好適な構成例によれば、少なくとも二つ、好適には三つまたはそれ以上の、圧砕咬頭と対咬歯との間の接触点を頬側の下顎咬頭と上顎の中央くぼみの頬側面の間に適宜に配置することにより形成することが可能となる。これによって、力の誘導が舌側方向に転位され、これは標準的な咀嚼に際して好適であり、さらに下顎の舌側方向への誘導が生じ、これが誤って交差咀嚼が発生することを防止する。
　【００１５】
　平衡側を介して歯を咬合状態に誘導することに関して、中央くぼみと臼歯の唇側咬頭の間の距離を対応する下顎対咬歯の中央くぼみと頬側咬頭との間の距離より小さくすることが特に好適である。したがって、実質的に上顎には平衡側を咬頭嵌合へ誘導するための非常に広い誘導面が生じる。
　【００１６】
　咬頭および咬頭に接する曲面の非対称かつ横方向または矢状方向の移動は、歯の接触点の最適化を達成すれば非常に好適である。
　【００１７】
　下顎小臼歯については約５．７ないし７．０ｍｍ、下顎臼歯については例えば５．９ないし６．８ｍｍ、ならびに上顎小臼歯については約４．８ないし７．３ｍｍ、上顎臼歯については例えば６．２ないし７．８ｍｍに設定した咀嚼面幅を設けることが特に好適である。これによって既存のしばしば非常に小さな下顎歯に比べて良好な負荷分散を実現でき、ここで意外なことにこの歯幅は義歯セットの大きさにかかわらず理想的な咀嚼効果を達成し、ここで義歯セットの大きさは複数の大きさから構成することができ、例えば各方向においてそれぞれ５％ずつ変化する５段階の大きさで構成することができる。
　【００１８】
　本発明の別の好適な実施形態においては、圧砕咬頭が臼歯において実施される咬頭嵌合状態において中央くぼみと横断くぼみとの間に交差する。中央および横断くぼみは残留食物の効果的な排除と唾液の添加を実現し、一方、くぼみによって形成された四分円内で対応する咬頭に対し曲面が伸びることが好適であり、これは凸状に湾曲した領域として作用し、これに対し側面がそれぞれ凹状に湾曲した領域が接合可能である。
　【００１９】
　さらに、義歯セットを非対称に形成するため、二つのくぼみが、特に第一の上顎臼歯に設置されているように、対向して配置されるが、さらに、例えば第一の上顎小臼歯の舌側もしくは頬側咬頭が近心もしくは遠心に設置される。このような配置は、特に側方偏位を実現し、これはこれによって下顎小臼歯の咬頭が上顎咬頭と強く衝突することなく内側あるいは外側に斜めに移動できるからである。
　【００２０】
　このことは下顎の舌側咬頭を頬側咬頭に対向して歯周に沿って移動させるようにも作用し、これによって自由な側方偏位動作が可能となる。
　【００２１】
　本発明によれば、咬合面全体上で凹状および凸状領域が交互に形成され、これが自由な調和動作を実現する。
　【００２２】
　このことは、第一の小臼歯から第二臼歯への咬頭の傾きを矢状にねじることによっても保持され、これによって咬頭の傾きが継続的に低下し、螺旋形状のねじりがシュミレートされるだけでなく、異なった咬合形態も容易に実現される。好適な実施形態において、咬合状態において
圧砕咬頭
　【００２３】
　本発明によれば、静的に配置された咬頭嵌合が設けられ、これによって生理学および解剖学上ばかりでなく美容学上の要求も考慮され得る。この点に関して、下側小臼歯の遠心配置されたくぼみが上顎対咬歯の舌側咬頭の咬頭嵌合を可能にすることが極めて好適である。
　【００２４】
　上顎歯に一次咬頭として圧砕咬頭を設け、さらに下顎対咬歯咬頭を近心−遠心位置に追加的に形成することにより、そこに形成された適宜な前曲に沿って咀嚼面が端まで伸び、中央位置以外に誘導面が設けられた場合に常にその危険が心配される異常咬合およびぐらつきが有効に防止される。
　【００２５】
　【実施例】
　次に、本発明に係る義歯セットの実施例につき、添付図面を参照しながら、以下詳細に説明する。
　【００２６】
　本発明に係る義歯セット１０は上顎臼歯１２ならびに下顎臼歯１４を有し、これらは咬合可能な関係にある。両方の歯は互いに向き合った咀嚼面または咬合面１６および１８を有する。図１に示された断面図において、両方の歯は
上顎臼歯がその対咬歯（１４）と圧砕咬頭に対して３点接触する
　【００２７】
　図１に示された実施例において、さらに
上顎臼歯がその対咬歯（１４）と圧砕咬頭に対して３点接触する
　【００２８】
　図１に示されているように、下顎臼歯１４の凸状領域２０，２２，２８、上顎臼歯１２の凸状領域３０，３２，３４、下顎臼歯１４の凹状領域３６，３８および上顎臼歯１２の凹状領域４０，４２が交互に並んでいる。これによって
上顎臼歯がその対咬歯（１４）と圧砕咬頭に対して３点接触する
　【００２９】
　移動領域４４はこれに接する凸状面３６および３８とともに、しかしながら頬側および舌側咬頭２６および６０を除いて、圧砕咬頭２４のための穴部４５を実質的に形成している。
　【００３０】
　図１に示されているように、
上顎臼歯がその対咬歯（１４）と圧砕咬頭に対して３点接触する
　【００３１】
　上顎臼歯１２の凹状曲面５４ならびに下顎臼歯１４の曲面５６および５８は、凸状領域３０，３２あるいは２０，２２に対して必ずしも同じ平面上に形成する必要はないことは勿論である。これは図面を簡略化するためこの様に構成されているが、好適な実施例においては、曲面５４ないし５８は図の平面に対してずれて形成され、従って冠内状自由空間４６は同時に側方偏位動作をカバーするものであり、従って頬側−舌側のみ存在するものではない。
　【００３２】
　好適には、冠内状自由空間４６は咬合状態に近づく際に一義的には咀嚼面の方向に広がり、限定的にはこれに平行する方向にも広がっている。
　【００３３】
　図１においては、さらに下顎臼歯１４の頬側咬頭２６と舌側咬頭６０が一つの図示面内に示されており、同様に上顎臼歯１２の頬側咬頭５２および圧砕咬頭２４も一つの図示面内に示されている。しかしながら、好適な実施例においては圧砕咬頭２４はいくらか遠心側に配置され、これが側方偏位を推進する。さらに、近心側咬頭に関するものであることが明らかである。
　【００３４】
　しかしながら、本発明にしたがった臼歯はこれに加えて遠心側咬頭も有し、これはより強くあるいはより弱く掘り込まれた横断くぼみ７０によって近心咬頭から分離され、またこれよりも小さく対咬歯側に突き出ている。この構成により咀嚼機能を段階的にすることができ、それにより、柔らかい食物を細かくするため小さな咀嚼圧力を必要とする際には咀嚼面全体が作用し、破砕および切断作用を必要とする際には主に圧砕咬頭が対咬歯に作用し、平衡な咬合状態を形成する。
　【００３５】
　特に好適な実施例においては、基礎面６２および６４が実質的に水平面に対して約７０°の角度に広がっている。このことがコンピュータによる歯の設計を容易にする。
　【００３６】
　頬側咬頭２６の頂点から舌側咬頭６０の頂点へと伸びている下顎１４の咀嚼面幅は、ここで紹介されている実施例の場合は６．５ｍｍとなり、これからこの実施例の歯の寸法を設定することができる。
　【００３７】
　上顎第二臼歯１２の咀嚼面１６の構成は図２に示されている。この臼歯はその近心−舌側位置（図２において右下）に顕著に形成された圧砕咬頭２４を有し、また近心頬側位置に咬頭５２を有し、これも同様に極めて顕著に形成されている。
　【００３８】
　これとは逆に、遠心頬側位置には後退的な咬頭６６を、遠心舌側位置にはさらにより後退的な咬頭６８を有する。
　【００３９】
　図２は中央くぼみ５０が形成されていることを示しており、これは直線的には伸びておらず、近心位置においては遠心位置に比べて頬側に変位している。これは咬頭２４，５２，６６および６８の変位に相当し、これらはその頂点がほぼ平行四辺形を形成しており、これに対し、図６に示されたように下顎咬頭の頂点は正方形を形成している。
　【００４０】
　さらに中央くぼみ５０は咬頭６８と咬頭２４との間の領域において横断くぼみ７０に分岐しており、その先方部分が咬頭５２と咬頭６６との間の領域に位置している。この構成において中央くぼみ５０と横断くぼみ７０は咬頭２４と６６の間に伸びる支線部分で交差している。図示されているくぼみおよび咬頭に接する部分には平滑な平面は形成されておらず、曲面および畝および溝が形成されており、その中でも曲面７２および曲面７３が特に顕著に形成されている。
　【００４１】
　図３には同様な上顎第一臼歯の構成が示されている。ここで使用されている参照符号は図２のものと同様である。これにおいても、中央くぼみ７０と横断くぼみ５０は、咬頭５２，６６，２４および６８の相互の変位に相当する側方への変位を有している。図２および図３に示されているように、中央くぼみ５０あるいは横断くぼみ７０の各支線の交差点に穴部７４および７６が形成されている。これらの穴部も互いに変位されている。
　【００４２】
　上顎第二臼歯と同様に上顎第一臼歯も平行四辺形状に形成され、これは下顎対咬歯のほぼ正方形状の咬頭に適宜に整合する作用を有することができる。しかしながら、第一臼歯は好適には近心−遠心方向にいくらか長く、例えば２ないし１０％、さらに好適には８％長くなり、また全体的にいくらか大きくなる。
　【００４３】
　図２ならびに図３には圧砕咬頭２４上に三つの点８０が示されており、これらが
上顎臼歯がその対咬歯（１４）と圧砕咬頭に対して３点接触する
　【００４４】
　図４に示されているように、先に実施例と同様に下顎小臼歯８５を形成することができる。中央くぼみ５０が形成され、これが副くぼみ８４を有し、これはそれ程顕著には形成されておらず、単に頬側咬頭８６および舌側咬頭８８への切り込み部を形成している。
　【００４５】
　中央くぼみ５０は実質的に第二小臼歯の近心−遠心方向の対称軸を形成している。頬側咬頭８６は中央くぼみ５０に対して中央側方に離れている。これとは逆に舌側咬頭８８は相当に近心側に配置されている。
　【００４６】
　必要に応じて咬頭８６を容易に遠心にずらして配置転換できることは勿論である。この配置転換により下顎対咬歯の該当する咬頭が側方偏位のために容易に斜め側方に動くことができる。
　【００４７】
　これに相当する咬頭８８および８６の配置転換が図５に示された第一小臼歯にも備えられている。
　【００４８】
　図６に示されている下顎第二臼歯は近心側咬頭２６および６０に加えて遠心側咬頭９０および９２を頬側または舌側位置に有している。この歯においては中央くぼみ５０および横断くぼみ７０は互いに実質的に垂直に伸びており、歯のほぼ中央の前記の両くぼみの交差点に穴部４５を備えており、これが
上顎臼歯がその対咬歯（１４）と圧砕咬頭に対して３点接触する
　【００４９】
　図７に示されている下顎第一臼歯は下顎第二臼歯に相応する構成を有する。また同等な部分は等しい参照符号で示され、第一臼歯は第二臼歯より多少大きく形成されている。第一臼歯は追加的に遠心−頬側位置に外側に伸びた溝９４を有しており、これが咬頭９０の側面の近心−遠心方向に長すぎる平面が形成されることを防止している。さらに、下顎第一臼歯は三つの頬側咬頭２６，９０および９３を有する。
　【００５０】
　図７に示されているように、下顎第一臼歯の舌側咬頭６０および９２は比較的大きく離れており、したがって中央くぼみ７０はこの位置において極めて大きな幅を有する。咬頭６０および９２の頂点間の距離は頬側咬頭２６および９０の頂点間の距離に比べて大きくなる。これによって上顎第一臼歯の圧砕咬頭２４は早急に下顎の舌側咬頭に衝突することなく横断くぼみを介して移動することができ、したがって同調的な移動行程を妨害することはない。
　【００５１】
　図６に示された下顎第二臼歯も同様な構成を有することは勿論である。
　【００５２】
　図８には下顎第二小臼歯９５が示されており、これは咬頭８７および８８によって舌側の、咬頭８６によって頬側の位置が設定され、これらは中央くぼみ５０によって分離されている。互いに距離をおいている位置には中央くぼみ５０の横断溝８４が形成されており、これらが交差部分において穴部９６および９８を形成している。上顎第二小臼歯の舌側咬頭８８が穴部９６内に接触することが明らかであり、これによってここでも良好な破砕効果が可能になる。
　【００５３】
　さらに図９に示されている下顎第一小臼歯は図８に示された第二小臼歯と同様に構成されており、ここにおいても同一の参照符号は同一部分を示している。
　【００５４】
　図１０に示されているように、下顎の歯の咬頭傾斜はそれぞれ異なっている。図１０の表示において、カンペル面は垂直に通っており、第一小臼歯９５の咬頭傾斜はカンペル面に対して約４５°±３°となる。咬頭傾斜は直線１００によって示されており、これは舌側咬頭８８および頬側咬頭８６上に位置し、臼歯の場合においては近心−舌側咬頭６０および近心−頬側咬頭２６上に位置している。第一小臼歯９５の上に図示されている第二小臼歯９５においては咬頭傾斜は３３°±３°となる。図１０において第二小臼歯の上に図示されている第一臼歯１４においては咬頭傾斜は２７°±３°となり、その上に図示されている第二臼歯１４においては傾斜は少し小さくなる。
　【００５５】
　また、矢状方向について見てみると矢状方向軸の周りに咀嚼面１８のねじりが形成されている。さらに、図１０に示されているように、咀嚼面幅１０２は頬側咬頭２６の頂点と舌側咬頭６０の頂点との間か、あるいは遠心側咬頭９０および９２の頂点間に伸びている。
【図面の簡単な説明】
　【図１】
　
上顎臼歯がその対咬歯（１４）と圧砕咬頭に対して３点接触する
　【図２】
　本発明の実施例の上顎第二臼歯の咬合状態を示す平面図である。
　【図３】
　本発明の実施例の上顎第一臼歯の咬合状態を示す平面図である。
　【図４】
　本発明の実施例の上顎第二小臼歯の咬合状態を示す平面図である。
　【図５】
　本発明の実施例の上顎第一小臼歯の咬合状態を示す平面図である。
　【図６】
　本発明の実施例の下顎第二臼歯の咬合状態を示す平面図である。
　【図７】
　本発明の実施例の下顎第一臼歯の咬合状態を示す平面図である。
　【図８】
　本発明の実施例の下顎第二小臼歯の咬合状態を示す平面図である。
　【図９】
　本発明の実施例の下顎第一小臼歯の咬合状態を示す平面図である。
　【図１０】
　本発明に係る義歯セットの構成を示す複数の異なった角度から見た概略図である。
　【符号の説明】
　１０　義歯セット
　１２　上顎臼歯
　１４　下顎臼歯
　１６，１８　咀嚼面
　２０，２２，２８，３０，３２，３４　凸状領域
　２４　圧砕咬頭
　２６，５２，６０，６６，６８，８６，８８，９０，９２，９３　咬頭
　３６，３８，４０，４２　凹状領域
　４４　移動領域
　４５　穴部
　４６　冠内状空間
　４８，５０　中央くぼみ
　５４，５６，５８，７２，７３　曲面
　６２，６４　基礎面
　７０　横断くぼみ
　７４，７６，９６，９８　穴部
　８０　点
　８４　横断溝
　９４　溝
　９５　小臼歯
　１００　直線
　１０２　咀嚼面幅